(57)【要約】    【課題】  組立てが容易で、安定した消音効果を有する摺接帯を具備したシャッタ装置を提供する。    【解決手段】  シャッタカーテン４をガイドするガイドレール２の開口部内面に摺接帯保持溝２２が形成され、該摺接帯保持溝には摺接帯３１が前記摺接帯保持溝に嵌設されたシャッタ装置であって、前記摺接帯は前記シャッタカーテンに摺接する摺接部２７と、該摺接部の背面に固着され前記摺接帯保持溝に当接し前記摺接部に押出し力を付与する押出し部２８とを具備する。    【選択図】          図１
2007315019.tif 000002
【特許請求の範囲】
【請求項１】
シャッタカーテンをガイドするガイドレールの開口部内面に摺接帯保持溝が形成され、該摺接帯保持溝には摺接帯が前記摺接帯保持溝に嵌設されたシャッタ装置であって、前記摺接帯は前記シャッタカーテンに摺接する摺接部と、該摺接部の背面に固着され前記摺接帯保持溝に当接し前記摺接部に押出し力を付与する押出し部とを具備することを特徴とするシャッタ装置。
【請求項２】
前記摺接部は硬質合成樹脂であり、前記押出し部は先端が自由端となっている合成樹脂線の集合体である請求項１のシャッタ装置。
【請求項３】
前記摺接部は湾曲凸断面を有し、両端部にフランジ部が形成され、前記摺接帯保持溝は対峙する溝壁によって形成され、該溝壁の先端には前記フランジ部と係合する鉤部が形成され、前記フランジ部と前記鉤部との係合によって前記摺接部の飛出しが規制される請求項１のシャッタ装置。
【請求項４】
前記フランジ部は内側に向って突設され、前記鉤部は外側に向って突設され、前記摺接部は前記溝壁に沿って変位可能である請求項３のシャッタ装置。
【請求項５】
シャッタカーテンに摺接する摺接部と、該摺接部の背面に固着され摺接帯保持溝に当接し前記摺接部に押出し力を付与する押出し部とを具備し、前記摺接部は硬質合成樹脂であり、前記押出し部は先端が自由端となっている合成樹脂線の集合体であることを特徴とする摺接帯。
【発明の詳細な説明】
【技術分野】
【０００１】
本発明は、建物、コンテナ等の構築、構造物の出入口、或は窓等の開口部を開閉するシャッタ装置に関するものである。
【背景技術】
【０００２】
建物、コンテナ等の構築、構造物の出入口、窓等の開口部を開閉する装置としてシャッタ装置があり、該シャッタ装置はスラット、パネル等を屈曲自在に連結したシャッタカーテンをガイドレールに沿ってスライド移動させることで開口部を開閉する様になっている。
【０００３】
図６はシャッタ装置全体を示すものであり、図中、１は開口部、２は該開口部１の両側端部に設けられたガイドレール、３は該ガイドレール上端に設けられたシャッタケースであり、該シャッタケース３に収納されるシャッタカーテン４は前記ガイドレール２に沿って昇降される。
【０００４】
前記ガイドレール２、前記シャッタカーテン４は共に金属製であり、該シャッタカーテン４の開閉（図６に示すシャッタ装置に於いては昇降）時に、該シャッタカーテン４と前記ガイドレール２が金属接触すると、衝撃音及び摺動音等の騒音が発生する。この為、従来では図７で示す様な騒音の発生を抑える対策が施されている。
【０００５】
前記ガイドレール２は案内溝５を形成し、該案内溝５に前記シャッタカーテン４の幅端部が嵌合し、前記ガイドレール２の開口部内面には摺接帯保持溝６が形成され、該摺接帯保持溝６には摺接帯７が嵌設されている。
【０００６】
該摺接帯７は、前記摺接帯保持溝６に嵌合するベース８、前記シャッタカーテン４に摺接する摺動子９、該摺動子９と前記ベース８との間を連結する断面くの字状の緩衝部１１から構成され、前記ベース８、前記摺動子９には硬質塩化ビニル等の硬質合成樹脂が用いられ、前記緩衝部１１には軟質塩化ビニル等の軟質合成樹脂が用いられている。
【０００７】
前記シャッタカーテン４と前記ガイドレール２との間には前記摺接帯７が介在し、前記シャッタカーテン４を開閉すると、該シャッタカーテン４は前記摺接帯７に対して摺動する。前記シャッタカーテン４には硬質合成樹脂の前記摺動子９が接触するので、金属音の発生が防止され、又該摺動子９は前記緩衝部１１の弾性力で前記シャッタカーテン４に押圧され、該シャッタカーテン４の振動は凹凸に対して前記緩衝部１１が変位し、前記摺動子９が追従することで吸収され、騒音の発生が抑制される。
【０００８】
上記した摺接帯７では、硬質合成樹脂と軟質合成樹脂との合成部材であるので、前記緩衝部１１、前記摺動子９の形状が安定せず、又該摺動子９の位置精度、姿勢は一定せず、前記緩衝部１１を前記摺接帯保持溝６に嵌込むのは手間の掛る作業となっていた。又、形状不安定から部品毎の前記緩衝部１１の弾性力のバラツキがあった。
【０００９】
尚、上記従来例を示すものとして下記特許文献１が挙げられる。
【００１０】
【特許文献１】特開２００４−２０４５２９号公報
【発明の開示】
【発明が解決しようとする課題】
【００１１】
本発明は斯かる実情に鑑み、組立てが容易で、安定した抑音効果を有する摺接帯を具備したシャッタ装置及び摺接帯を提供するものである。
【課題を解決するための手段】
【００１２】
本発明は、シャッタカーテンをガイドするガイドレールの開口部内面に摺接帯保持溝が形成され、該摺接帯保持溝には摺接帯が前記摺接帯保持溝に嵌設されたシャッタ装置であって、前記摺接帯は前記シャッタカーテンに摺接する摺接部と、該摺接部の背面に固着され前記摺接帯保持溝に当接し前記摺接部に押出し力を付与する押出し部とを具備するシャッタ装置に係り、又前記摺接部は硬質合成樹脂であり、前記押出し部は先端が自由端となっている合成樹脂線の集合体であるシャッタ装置に係り、又前記摺接部は湾曲凸断面を有し、両端部にフランジ部が形成され、前記摺接帯保持溝は対峙する溝壁によって形成され、該溝壁の先端には前記フランジ部と係合する鉤部が形成され、前記フランジ部と前記鉤部との係合によって前記摺接部の飛出しが規制されるシャッタ装置に係り、又前記フランジ部は内側に向って突設され、前記鉤部は外側に向って突設され、前記摺接部は前記溝壁に沿って変位可能であるシャッタ装置に係るものである。
【００１３】
更に又本発明は、シャッタカーテンに摺接する摺接部と、該摺接部の背面に固着され摺接帯保持溝に当接し前記摺接部に押出し力を付与する押出し部とを具備し、前記摺接部は硬質合成樹脂であり、前記押出し部は先端が自由端となっている合成樹脂線の集合体である摺接帯に係るものである。
【発明の効果】
【００１４】
本発明によれば、シャッタカーテンをガイドするガイドレールの開口部内面に摺接帯保持溝が形成され、該摺接帯保持溝には摺接帯が前記摺接帯保持溝に嵌設されたシャッタ装置であって、前記摺接帯は前記シャッタカーテンに摺接する摺接部と、該摺接部の背面に固着され前記摺接帯保持溝に当接し前記摺接部に押出し力を付与する押出し部とを具備するので、前記摺接帯の位置合せは前記摺接帯保持溝と前記摺接部との位置合せでよく、前記摺接帯の取付けが簡単になり、前記摺接帯保持溝の溝形状も簡略化できる。
【００１５】
又本発明によれば、前記摺接部は硬質合成樹脂であり、前記押出し部は先端が自由端となっている合成樹脂線の集合体であるので、前記摺接部全長で略平均化された、偏りの少ない押出し力が得られる。
【００１６】
又本発明によれば、前記摺接部は湾曲凸断面を有し、両端部にフランジ部が形成され、前記摺接帯保持溝は対峙する溝壁によって形成され、該溝壁の先端には前記フランジ部と係合する鉤部が形成され、前記フランジ部と前記鉤部との係合によって前記摺接部の飛出しが規制されるので、簡単な構成で前記摺接帯が前記摺接帯保持溝から外れることが防止される。
【００１７】
又本発明によれば、前記フランジ部は内側に向って突設され、前記鉤部は外側に向って突設され、前記摺接部は前記溝壁に沿って変位可能であるので、前記摺接部は飛出し方向と共に横方向の規制もされ、溝形状、前記摺接部の形状が簡単となる。
【００１８】
更に又本発明によれば、シャッタカーテンに摺接する摺接部と、該摺接部の背面に固着され摺接帯保持溝に当接し前記摺接部に押出し力を付与する押出し部とを具備し、前記摺接部は硬質合成樹脂であり、前記押出し部は先端が自由端となっている合成樹脂線の集合体であるので、簡単な構成で、又前記摺接部全長で略平均化された、偏りの少ない押出し力が得られる等の優れた効果を発揮する。
【発明を実施するための最良の形態】
【００１９】
以下、図面を参照しつつ本発明を実施する為の最良の形態を説明する。
【００２０】
本発明に於けるシャッタ装置の全体については、図６で示したものと同様であるので、図示を省略する。又、図１は、図６のＡ−Ａ矢視相当図であり、図２は図１の部分拡大図である。
【００２１】
ガイドレール２が開口部の側縁の上下方向に掛渡って設けられている。
【００２２】
前記ガイドレール２の断面形状は、略扁平なコの字状をしており、対向する壁部１４、壁部１５によってガイド溝１６が形成されている。又前記壁部１４、前記壁部１５より前記ガイド溝１６の中心側に向って、仕切突片１７，１８がそれぞれ形成され、該仕切突片１７，１８の先端間はスリット状の間隙１９が残置される。而して、前記ガイド溝１６の底部には前記仕切突片１７，１８によって仕切られた断面矩形の棒状の空間２１が形成される。
【００２３】
前記壁部１４，１５の先端部内面側には、それぞれ摺接帯保持溝２２が形成されている。
【００２４】
該摺接帯保持溝２２は、一対の外溝壁２３によって形成される外溝２４、該外溝２４の中央部に内溝壁２５によって形成される内溝２６を有する２重溝構造となっており、前記外溝壁２３は溝の中心側に向って突出する鉤部２３ａを有し、前記内溝壁２５は前記外溝壁２３より低く形成されている。
【００２５】
前記摺接帯保持溝２２に摺接帯３１が保持される。
【００２６】
該摺接帯３１は、前記ガイドレール２の全長又は略全長に亘る長さを有し、シャッタカーテン４に摺接する摺接部２７、該摺接部２７の背面に固着され、該摺接部２７を前記摺接帯保持溝２２から押出す様に付勢する押出し部２８から構成されている。
【００２７】
前記摺接部２７は硬質塩化ビニル、ポリアセタール等の耐摩擦性や耐摩耗性が良好な硬質合成樹脂が用いられ、前記シャッタカーテン４と摺接する部分に直線部Ｌを有し、概略、長円を長軸に沿って半断した湾曲凸断面を有し、凸面が前記シャッタカーテン４に前記押出し部２８によって押圧され、又前記シャッタカーテン４が昇降することで摺接する。前記摺接部２７の両端又は両端近傍には、前記シャッタカーテン４と平行に突出するフランジ部２７ａが形成されている。
【００２８】
前記押出し部２８は、ポリエチレン、ポリプロピレン等の材質が用いられ、例えば所要長さの糸状、或は線状の合成樹脂線を前記摺接部２７の凹面（背面）側全長に亘って所要の密度で直接植設したもの、或は帯部材に植設したものを固着したもの（モヘア）であり、前記押出し部２８によって得られる押圧力は前記合成樹脂線の材質、太さ、植設密度、長さ等を適宜選択することで調整が可能である。
【００２９】
又、前記押出し部２８の合成樹脂線はそれぞれ先端が自由端となっており、各合成樹脂線は個々に撓み、各合成樹脂線の独立した撓みで押出し力が発せられ、又全長に亘り平均化された押出し力が得られる。又、部分的な撓みは、隣接する部分の合成樹脂線の撓みを伴わないので、前記摺接部２７に部分的な外力が作用した場合に、該摺接部２７は外力が作用した部分の近傍の前記押出し部２８の撓みを伴わないで変形することが可能となり、該押出し部２８が前記摺接部２７に作用する押出し力は小さくなる。
【００３０】
又、各合成樹脂線の撓み、撓み方向は、集合体とした場合、略平均化され、前記摺接部２７に作用する力は偏りの少ない、前記シャッタカーテン４に対して垂直方向の押出し力が得られる。
【００３１】
更に、前記押出し部２８は前記シャッタカーテン４に直接、摺接しないので、ヘタリが生じ難い。
【００３２】
前記シャッタカーテン４は、端部が前記摺接帯３１，３１に挾持される状態で前記摺接帯保持溝２２に挿入される。前記シャッタカーテン４を構成するスラットには所要間隔で、断面Ｔ字状の耐風ロック２９が取付けられ、該耐風ロック２９は前記空間２１を移動し、前記シャッタカーテン４に風圧等外力が作用し撓んだ場合に、前記耐風ロック２９が前記仕切突片１７，１８に係合して、前記シャッタカーテン４が前記摺接帯保持溝２２から外れることを防止する。
【００３３】
次に、前記摺接帯３１について説明する。
【００３４】
該摺接帯３１を前記摺接帯保持溝２２に取付ける場合には、前記摺接帯３１を図１の紙面に対して垂直な方向から挿入する。挿入に際しては、前記外溝壁２３、前記鉤部２３ａが前記摺接部２７及び前記フランジ部２７ａと係合してガイド機能を発揮し、前記内溝壁２５は前記押出し部２８を前記内溝２６に挿入する際のガイドをする。
【００３５】
尚、上記した様に前記押出し部２８は合成樹脂線の集合体であり、該押出し部２８の大半が前記内溝２６内に挿入されていれば、必要な機能は得られるので、前記押出し部２８を前記内溝２６に挿入する場合の位置決め作業は簡単となる。
【００３６】
又、前記フランジ部２７ａは前記鉤部２３ａと係合して前記摺接帯３１が飛出すことを防止し、前記内溝壁２５は前記摺接部２７の先端部と係合して、横方向のストッパとして機能し、前記摺接部２７に前記シャッタカーテン４と平行な力が作用し、該摺接部２７が横方向にずれても前記フランジ部２７ａが前記鉤部２３ａから外れない様にしたものである。
【００３７】
尚、横方向（図１に於いて左右方向）の力が作用しない状況で前記摺接帯３１が使用される場合は、前記内溝壁２５は省略することができる。
【００３８】
前記シャッタカーテン４が前記摺接帯３１，３１間を昇降すると、前記シャッタカーテン４は前記ガイドレール２との金属接触が避けられ、又前記シャッタカーテン４が振動した場合、前記摺接部２７が前記押出し部２８の押圧力によって追従し、振動を早期に減衰させる。又、前記シャッタカーテン４の摺接面に凹凸があった場合も、前記押出し部２８が凹凸に追従して変位し、前記摺接部２７と前記シャッタカーテン４との離反が防止される。
【００３９】
又前記シャッタカーテン４が前記摺接部２７，２７間にある時、該摺接部２７は前記シャッタカーテン４に常に当接していることが好ましい。
【００４０】
尚、上記実施の形態では、前記押出し部２８は前記内溝壁２５に挾まれる様にガイドされたが、該内溝壁２５を中央に１本成形し、該内溝壁２５が前記押出し部２８の内部に挿入される状態としてもよい。
【００４１】
図３は第２の実施の形態を示すものであり、該第２の実施の形態では、内溝２６の断面をテーパ状に広げたものである。該内溝２６がテーパ状に広げられたことで、押出し部２８を前記内溝２６に挿入する作業が容易になる。又、前記押出し部２８を前記内溝２６に挿入する際の合成樹脂線のはみ出しが防止され、合成樹脂線の弾性が有効に利用できる。
【００４２】
図４は、第３の実施の形態を示しており、摺接帯保持溝２２の形状を簡略化したものである。
【００４３】
該第３の実施の形態では、外溝壁２３を省略し、内溝壁２５の先端に外側に向って突出する鉤部２５ａを形成し、摺接部２７の先端に内側に向って突出するフランジ部２７ｂを形成したものであり、前記鉤部２５ａに前記フランジ部２７ｂが係合することで、摺接帯３１が飛出すことを防止し、前記内溝壁２５は前記摺接部２７の先端部と係合して、横方向のストッパとして機能し、前記摺接部２７が横方向にずれても前記フランジ部２７ｂが前記鉤部２５ａから外れない様にしたものである。
【００４４】
図５は第４の実施の形態を示しており、該第４の実施の形態では、摺接部２７が局部的に変形し易い様にしたものである。
【００４５】
前記摺接部２７の、シャッタカーテン４に摺接する部分の近傍に薄肉部３２を形成する。該薄肉部３２が形成されることで、前記摺接する部分が凹み易くなり、前記摺接部２７の局部的な変形が可能となる。
【００４６】
前記摺接部２７が局部的に変形することで、押出し部２８は部分的に撓み、全体として該押出し部２８の押出し力は減少し、前記摺接部２７に摺接する前記シャッタカーテン４の開閉力が軽減される。
【００４７】
尚、上記第１の実施の形態、第２の実施の形態、第３の実施の形態、第４の実施の形態に於いて、押出し部２８の合成樹脂線の長さは、摺接部２７が最も押出された状態（第１、第２、第４の各実施の形態に於ける、フランジ部２７ａ，２７ａが鉤部２３ａ，２３ａに当接している状態、又は第３の実施の形態に於ける、フランジ部２７ｂ，２７ｂが鉤部２５ａ，２５ａに当接している状態）に於いて、合成樹脂線の自由端側先端が摺接帯保持溝２２の底面に合成樹脂線が若干撓んだ状態又は撓みのない状態で届く長さが好ましい。
【００４８】
又、本発明は、ガイドレール、シャッタカーテンが硬質合成樹脂製であるシャッタ装置にも実施可能であり、この場合、衝撃音を抑音することで、騒音の発生を抑制することができる。
【図面の簡単な説明】
【００４９】
【図１】本発明の第１の実施の形態を示す要部断面図であり、図６のＡ−Ａ矢視相当図である。
【図２】該第１の実施の形態の要部拡大図である。
【図３】第２の実施の形態の要部拡大図である。
【図４】第３の実施の形態の要部拡大図である。
【図５】第４の実施の形態の要部拡大図である。
【図６】従来のシャッタ装置全体を示す正面図である。
【図７】図６のＡ−Ａ矢視図である。
【符号の説明】
【００５０】
１              開口部
２              ガイドレール
３              シャッタケース
４              シャッタカーテン
１４            壁部
１６            ガイド溝
２２            摺接帯保持溝
２３            外溝壁
２３ａ          鉤部
２４            外溝
２５            内溝壁
２５ａ          鉤部
２６            内溝
２７            摺接部
２８            押出し部
２７ａ          フランジ部
２７ｂ          フランジ部
３１            摺接帯
３２            薄肉部
【図１】
2007315019.tif 000003
【図２】
2007315019.tif 000004
【図３】
2007315019.tif 000005
【図４】
2007315019.tif 000006
【図５】
2007315019.tif 000007
【図６】
2007315019.tif 000008
【図７】
2007315019.tif 000009